(57)【要約】【課題】浴室の壁面に設置し、浴室空間の広がり感と雰囲気の向上を図ることを目的とする。【解決手段】反射板１０とハーフミラー１１を空間を設けて配設し、前記空間内に少なくとも照明手段８の発光部８ａを配設し、照明手段８は制御手段１４により制御することにより、浴室空間の広がり感のある演出が可能となり、加えてハーフミラーは浴室鏡として使用できるものである。【選択図】図１
2005181687.tif 000002
【特許請求の範囲】
【請求項１】
１個または複数個の照明手段と、制御手段と、反射板と、ハーフミラーとを備え、反射板とハーフミラーを空間を設けて配設し、前記空間内に少なくとも照明手段の発光部を配設し、照明手段は電気的に接続された制御手段により制御される浴室照明パネル。
【請求項２】
照明手段は特定のパターンにあわせて複数個配設した請求項１に記載の浴室照明パネル。
【請求項３】
制御手段は点灯、消灯、調光の機能の内少なくとも２個以上の機能を備えた請求項１または２に記載の浴室照明パネル。
【請求項４】
制御手段は複数個の照明手段を個別に制御する構成の請求項１〜３のいずれか１項に記載の浴室照明パネル。
【請求項５】
制御手段は複数個の照明手段を制御する１個または複数の設定パターンをあらかじめ設定しておき、使用者が設定パターンを選択可能な構成とした請求項１〜４のいずれか１項に記載の浴室照明パネル。
【発明の詳細な説明】
【技術分野】
【０００１】
本発明は浴室空間の雰囲気を高める目的の演出機能を備えた浴室照明パネルに関するものである。
【背景技術】
【０００２】
従来、この種の浴室照明パネルは演出窓の後面にパネル画を設けてパネル画をライトアップする構成であった（例えば、特許文献１参照）。また、浴室の天井面と壁面の繋ぎ部分にＬＥＤを設け壁面をライトアップする構成のものもある（例えば、特許文献２参照）。
【０００３】
図６は、特許文献１に記載された従来の照明パネルを示すものである。図６に示すように、演出壁１と、パネル画２と、ライト３から構成されている。
【０００４】
図７は、特許文献２に記載された従来の照明パネルを示すものである。図７に示すように、浴室の天井面４と壁面５の繋ぎ部分にＬＥＤ６が設置されている。
【特許文献１】実開平５−３８２０５号公報
【特許文献２】特開２００１−２９７６０５号公報
【発明の開示】
【発明が解決しようとする課題】
【０００５】
しかしながら、前記従来の構成では、浴室壁面に演出窓を設けて演出窓の後面のパネル面をライトで照射したり、浴室の天井面と壁面の繋ぎ部分にＬＥＤを設けて壁面を照射して浴室壁面を演出壁専用にして使用するためライトが消灯している時は壁面の演出機能は有効活用することができないという課題を有していた。
【０００６】
本発明は、前記従来の課題を解決するもので、ランプが消灯時と点灯時には異なった演出機能として使用する浴室壁を提供することを目的とする。
【課題を解決するための手段】
【０００７】
前記従来の課題を解決するために、本発明の浴室壁は、１個または複数個の照明手段と、制御手段と、反射板と、ハーフミラーとを備え、反射板とハーフミラーの間に照明手段を配設し、前記制御手段により前記照明手段を制御する構成としたものである。
【０００８】
これによって、照明手段の点灯、消灯、調光時にはハーフミラー面に異なった雰囲気の意匠を表現することができ、また消灯時にはハーフミラー面を浴室用の鏡として使用できるため、意匠性に加え機能性も有効活用できる。
【発明の効果】
【０００９】
本発明の浴室壁は、制御手段により照明手段を点灯、消灯、調光することにより、ハーフミラー面に異なった雰囲気の意匠を表現できるため浴室の意匠性を高めるとともに、消灯時にはハーフミラー面を浴室用の鏡として使用することができ、意匠性と機能性の両面にわたる効果を備えたものである。
【発明を実施するための最良の形態】
【００１０】
第１の発明は１個または複数個の照明手段と、制御手段と、反射板と、ハーフミラーとを備え、反射板とハーフミラーを空間を設けて配設し、前記空間内に少なくとも照明手段の発光部を配設し、照明手段は電気的に接続され制御手段により制御する構成とすることにより、照明手段は制御手段により、あらかじめ設定された点灯、消灯、調光の操作が実施されることにより、ハーフミラー面には異なった意匠が表現され、浴室の雰囲気を変化させることができ、照明手段を全て消灯した状態では、ハーフミラー面は浴室用の鏡として使用可能な状態となる。
【００１１】
第２の発明は、特に、第１の発明の照明手段を特定のパターンにあわせて複数個配設することにより、配設パターンに合わせて照明手段を制御することにより、意匠的に高度な表現が可能となり、より演出効果を高めることができる。
【００１２】
第３の発明は、特に、第１または第２の発明の制御手段を点灯、消灯、調光の機能の内少なくとも２個以上の機能を備えることにより、照明手段を目的に合わせて制御することが可能となり、より演出効果を高めることができる。
【００１３】
第４の発明は、第１〜３のいずれか１つの発明の制御手段を複数個の照明手段を個別に制御する構成とすることにより、照明手段を個別に点灯、消灯、調光する高度な制御が可能となり、より高度で複雑な演出を実現することができる。
【００１４】
第５の発明は、第１〜第４の発明の制御手段が複数個の照明手段を制御する１個または複数の設定パターンをあらかじめ設定しておき、使用者が設定パターンを選択可能な構成ととすることにより、使用者の好みや気分により設定パタンを選択することができ、使用者にあった演出効果を得ることができる。  以下、本発明の実施の形態について、図面を参照しながら説明する。なお、この実施の形態によって本発明が限定されるものではない。
【００１５】
（実施の形態１）
図１は、本発明の第１の実施の形態における浴室照明パネルのパネル本体の断面図を示し、図２は基板上の照明手段の配置を示す基板の正面図を示し、図３は浴室照明パネルを浴室に設置した状態の断面図を示し、図４は浴室照明パネルの回路図を示し、図５は照明手段の制御パターンを示すシーケンス図である。
【００１６】
図１、図２に示すように、パネル本体７はＬＥＤからなる複数の照明手段８を基板９に同心円と中心線が構成されるパターンで配設し、同心円状に配設したものは内側から８−１〜８−８、８−１１〜８−１８、８−２１〜８−２８、８−３１〜８−３８と４重の同心円を構成しており、中心線状に配設したものは８−４１から８−４３へと外側から中心に向かって配置する。
【００１７】
基板９の前面側には光沢を有するステンレス製の反射板１０が設置されており、反射板１０の照明手段８に対応した位置には、照明手段８より若干大きい開口１０ａを備え、前記開口１０ａから照明手段８の発光部８ａを突出させる位置に固定している。
【００１８】
反射板１０の前面には若干の隙間を設けてハーフミラー１１を設置し、反射板１０とハーフミラー１１の間に照明手段８の発光部８ａが配設されている。ハーフミラー１１の周囲はカバー１２により覆い、パネル本体７内部に水や湿気が入らないように防水構造を構成している。
【００１９】
図３に示すようにパネル本体７は浴室の壁パネル１３表面に固定しており、浴室の天井の上に制御手段１４を設置し、パネル本体７と制御手段１４は接続コード１５で電気的に接続し照明手段８を制御できる構成であり、制御手段１４には別途接続された電源配線（図示せず）より電源が供給される。壁パネル１３表面には制御手段１４と電気的に接続された操作スイッチ１６を設置し、制御手段１４の運転の入切および制御パターンの切替操作を行う。
【００２０】
第４図は本発明の浴室照明パネルの回路図を示し、回路図は制御手段部１７、パネル本体部１８、スイッチ部１９から構成している。
【００２１】
制御手段部１７はマイコン２０を主構成部品として構成しており、パネル本体部１８においては、同一の同心円状に配設したＬＥＤからなる照明手段８、例えば８−１〜８−８は同時に制御動作できるように接続しており、中心線状に配設された照明手段８−４１、８−４２、８−４３は個別に制御できるように接続している。スイッチ部１９には制御手段部１７と電気的に接続した２個のスイッチ１６ａ、１６ｂを備え、照明手段８の制御パターンが選択できる構成となっている。
【００２２】
以上のように構成された浴室照明パネルについて、以下その動作、作用を説明する。
【００２３】
まず、スイッチ１６ａを押し、ＯＮにすると、制御手段１４のマイコン２０に入力信号が送られ、マイコン２０はあらかじめプログラムされた内容で制御を開始する。
【００２４】
照明手段８は図５のシーケンス図に示すように、中心線状の照明手段８を外側から８−４１、８−４２、８−４３と順次点灯し、全てが点灯した後に一斉に消灯する、次に同心円状の一番内側の照明手段８−１〜８−８が同時に点灯し、次に外側の同心円状の照明手段８−１１〜８−１８が同時に点灯し、一番外側の同心円状の照明手段８まで順次点灯する。同心円状の照明手段８が全て点灯した後に一斉に消灯し、上記照明手段８の制御がくり返し実施され、スイッチ１６ａを再度押すことにより制御を停止し、照明手段８は全て消灯する。
【００２５】
上記の照明手段の配置と制御パターンは打ち上げ花火を想定したものであるが、最初のスイッチ操作で、スイッチ１６ｂ選択した場合には、上記とは別のプログラムが実施され、照明手段は別の演出が実施される。
【００２６】
上記の構成および作用において、照明手段８を反射板１０とハーフミラー１１の間に配置したことにより、照明手段８の点灯時は照明手段８からの光がハーフミラー１１にあたり反射して反射板１０にはねかえることを繰り返すことにより、実際の照明手段８の数より多い数の照明手段があるように見え、またパネル本体７が奥行きがあるように見えることにより、浴室全体を奥行きがあり広く大きく見せることができるものである。
【００２７】
また、照明手段の全灯消灯状態においては、ハーフミラー１１は浴室内の様子を映すことができ、浴室用の鏡として使用することができる。
【００２８】
以上のように、本実施の形態においては、反射板とハーフミラーの間に照明手段を配置して照明手段の点灯、消灯を制御することにより、浴室空間の雰囲気を向上する演出効果を得ることができ、しかも浴室空間を奥行きがあり広がり感ある空間として感じさせる効果を備えるとともに、ハーフミラーは浴室用鏡として使用できるという効果を兼ね備えたものである。
【００２９】
なお、本実施の形態においては照明手段としてＬＥＤを使用したが、これに限るものではなく白熱電球や蛍光灯等でも同様の効果を得ることができ、その場合の制御パターンは前記とは異なったパターンを採用することにより、異なった雰囲気を演出することができる。また、ＬＥＤ、白熱電球、蛍光灯等の複数の種類の照明手段を混ぜて使用することにより、演出効果をより高めることが可能である。
【００３０】
また、本実施の形態においては照明手段の制御を点灯、消灯の２段階で行ったが、これらに加え明るさを変化させる調光機能を加えることにより、より高度な演出効果を得ることができるものであり、また照明手段は１色に限るものではなく複数の色のものを混ぜて使うことにより演出力を高めることができる。
【００３１】
また、反射板として光沢のあるステンレスを使用したが、これに限るものではなく、アルミをはじめ他の光沢のある金属や、金属や樹脂にメッキを施したもの等が考えられる。
【産業上の利用可能性】
【００３２】
以上のように、本発明にかかる浴室照明パネルは、壁面を演出することにより空間の広がり感と雰囲気を向上する効果を有するものであるから、家庭用のみならず商業用のディスプレー等の用途にも適用できる。
【図面の簡単な説明】
【００３３】
【図１】本発明の実施の形態１にパネル本体の断面図
【図２】本発明の実施の形態１における照明手段の配置を示す基板の正面図
【図３】本発明の実施の形態１における浴室照明パネルの浴室への設置状態の断面図
【図４】本発明の実施の形態１における浴室照明パネルの回路図
【図５】本発明の実施の形態１における照明手段の制御パターンを示すシーケンス図
【図６】従来の照明パネルの断面図
【図７】従来の照明パネルの断面図
【符号の説明】
【００３４】
８  照明手段
８ａ  発光部
１０  反射板
１１  ハーフミラー
１４  制御手段
【図１】
2005181687.tif 000003
【図２】
2005181687.tif 000004
【図３】
2005181687.tif 000005
【図４】
2005181687.tif 000006
【図５】
2005181687.tif 000007
【図６】
2005181687.tif 000008
【図７】
2005181687.tif 000009